(57)【要約】【課題】優れた放熱性および汎用性を有する照明装置および高天井用照明装置を提供する。【解決手段】実施形態に係る照明装置は、基板、放熱部、開口を具備する。基板は、照射面側に複数の発光素子が配置される。放熱部は、基板が取り付けられる平面部を有し、平面部の背面側に立設する複数の放熱フィンを有する。開口は、複数の放熱フィンと重なるように基板の照射面側から放熱部の放熱フィン側まで設けられる。基板は、開口を挟んで並設された第１基板および第２基板を有する。【選択図】図４
2019050148.tif 000002
【特許請求の範囲】
【請求項１】
照射面側に複数の発光素子が配置された基板と；
前記基板が取り付けられる平面部を有し、前記平面部の背面側に立設する複数の放熱フィンを有する放熱部と；
を具備する照明装置であって、
前記複数の放熱フィンと重なるように前記基板の照射面側から前記放熱部の放熱フィン側まで設けられた開口と；
を具備し、
前記基板は、前記開口を挟んで並設された第１基板および第２基板を有する、照明装置。
【請求項２】
前記開口は、前記基板と前記平面部とを同じ位置で貫通している、請求項１に記載の照明装置。
【請求項３】
前記基板を覆うカバー部材；
をさらに具備し、
前記開口は、前記カバー部材の照射面側から、前記基板および前記放熱部の放熱フィン側まで設けられる、請求項１または２に記載の照明装置。
【請求項４】
請求項１〜３のいずれか一つに記載の照明装置と；
前記照明装置の対向する側面を支持する第１アーム部および第２アーム部と、前記放熱フィンと向かい合う天井取付部とを有する支持部と；
を具備する、高天井用照明装置。
【請求項５】
前記放熱フィンに対して所定の間隔を設けて前記第１アーム部および前記第２アーム部に固定される電源ボックス；
をさらに具備する、請求項４に記載の高天井用照明装置。
【発明の詳細な説明】
【技術分野】
【０００１】
本発明の実施形態は、照明装置および高天井用照明装置に関する。
【背景技術】
【０００２】
近年、ＬＥＤ（Light  Emitting  Diode）などの発光素子を光源とする照明装置が普及している。かかる照明装置は、例えば体育館や工場の天井などに設置されるものがある。
【０００３】
上記のような照明装置においては、発光素子から発生する熱を効率よく外部に放熱する必要がある。このため、例えば放熱フィンなどを有する放熱部の形状に関するさまざまな検討がなされている。
【先行技術文献】
【特許文献】
【０００４】
【特許文献１】特開２０１５−１６２５５２号公報
【特許文献２】特許第５２８４５２２号公報
【発明の概要】
【発明が解決しようとする課題】
【０００５】
しかしながら、放熱性を重視した放熱部は、汎用性に乏しい複雑な形状となりがちである。
【０００６】
本発明が解決しようとする課題は、優れた放熱性および汎用性を有する照明装置および高天井用照明装置を提供することである。
【課題を解決するための手段】
【０００７】
実施形態の照明装置は、基板、放熱部、開口を具備する。基板は、照射面側に複数の発光素子が配置される。放熱部は、基板が取り付けられる平面部を有し、平面部の背面側に立設する複数の放熱フィンを有する。開口は、複数の放熱フィンと重なるように基板の照射面側から放熱部の放熱フィン側まで設けられる。基板は、開口を挟んで並設された第１基板および第２基板を有する。
【発明の効果】
【０００８】
本発明によれば、優れた放熱性および汎用性を有する照明装置および高天井用照明装置を提供することができる。
【図面の簡単な説明】
【０００９】
【図１】実施形態１に係る照明装置を示す正面図である。
【図２】実施形態１に係る照明装置を示す側面図である。
【図３】実施形態１に係る照明装置を天井取付部側から見た平面図である。
【図４】実施形態１に係る照明装置を照射面側から見た平面図である。
【図５】実施形態１に係る照明装置を示す図４のＡ−Ａ断面図である。
【図６】実施形態１に係る照明装置の変形例１を照射面側から見た平面図である。
【図７】実施形態１に係る照明装置の変形例１を示す図６のＢ−Ｂ断面図である。
【図８】実施形態１に係る照明装置の変形例２を照射面側から見た平面図である。
【図９】実施形態２に係る照明装置を照射面側から見た平面図である。
【図１０】実施形態２に係る照明装置を示す図９のＣ−Ｃ断面図である。
【発明を実施するための形態】
【００１０】
以下に説明する実施形態に係る照明装置１、１Ａは、基板２１（２２、２３）、放熱部３０（３１、３４）、開口５０、５１（５２、５３）を具備する。基板２１（２２、２３）は、照射面３、４側に複数の発光素子２４（２５、２６）が配置される。放熱部３０は、基板２１（２２、２３）が取り付けられる平面部３１（３２、３３）を有し、平面部３１（３２、３３）の背面側に立設する複数の放熱フィン３４（３５、３６）を有する。開口５０、５１（５２、５３）は、複数の放熱フィン３４（３５、３６）と重なるように基板２１（２２、２３）の照射面３、４側から放熱部３０の放熱フィン３４（３５、３６）側まで設けられる。基板２１（２２、２３）は、開口５０、５１（５２、５３）を挟んで並設された第１基板２２および第２基板２３を有する。
【００１１】
また、以下に説明する実施形態に係る開口５０、５１（５２、５３）は、基板２１（２２、２３）と平面部３１（３２、３３）とを同じ位置で貫通している。
【００１２】
また、以下に説明する実施形態に係る照明装置１、１Ａは、基板２１（２２、２３）を覆うカバー部材１４、１５、５４をさらに具備する。開口５０、５１（５２、５３）は、カバー部材１４、１５、５４の照射面３、４側から、基板２１（２２、２３）および放熱部３０の放熱フィン３４（３５、３６）側まで設けられる。
【００１３】
また、以下に説明する実施形態に係る高天井用照明装置は、照明装置１、１Ａと、照明装置１、１Ａの対向する側面を支持する第１アーム部１２および第２アーム部１３と、第１アーム部１２と第２アーム部１３とを接続するように配置され、放熱フィン３４（３５、３６）と向かい合う天井取付部１１とを有する支持部１０とを具備する。
【００１４】
また、以下に説明する実施形態に係る高天井用照明装置は、放熱フィン３４（３５、３６）と天井取付部１１との間に配置され、第１アーム部１２および第２アーム部１３に固定される電源ボックス４０をさらに具備する。
【００１５】
以下に、本発明に係る実施形態を図面に基づき説明する。なお、以下に示す各実施形態は、本発明が開示する技術を限定するものではない。また、以下に示す各実施形態及び各変形例は、矛盾しない範囲で適宜組合せることができる。また、各実施形態の説明において、同一構成には同一符号を付与して後出の説明を適宜省略する。
【００１６】
［実施形態１］
図１は、実施形態１に係る照明装置を示す正面図である。図１に示すように、実施形態１に係る照明装置１は、支持部１０、放熱部３０、電源ボックス４０、発光部２を有する。照明装置１は、体育館や工場等の構造物の高天井に設置され、床面や壁面を照明する高天井用照明装置である。
【００１７】
支持部１０は、天井取付部１１と、第１アーム部１２と、第２アーム部１３とを有する。天井取付部１１は、図示しない取付具を用いて天井に固定される板状の部材である。
【００１８】
第１アーム部１２は、Ｙ軸方向に沿って延びる天井取付部１１のＹ軸負方向側の端部に、Ｚ軸負方向に延びるように配置される。第２アーム部１３は、天井取付部１１を挟んで第１アーム部１２と向かい合うように配置される。第１アーム部１２および第２アーム部１３は、第１締結部材１８および第２締結部材１９を用いて電源ボックス４０の側面を固定する。また、第１アーム部１２および第２アーム部１３は、第１調整部材６、第２調整部材７、第１固定部材８および第２固定部材９を用いて放熱部３０の側面を固定するとともに、放熱部３０の角度を調整可能に支持する。ここで、第１アーム部１２および第２アーム部１３による放熱部３０の支持および固定について、図２を用いてさらに説明する。
【００１９】
図２は、実施形態１に係る照明装置１を第２アーム部１３側、すなわちＹ軸正方向側から見た側面図である。図２に示すように、第２アーム部１３には、円弧状の調整孔５が設けられており、調整孔５には、第２調整部材７が挿通されている。同様に、第１アーム部１２には、天井取付部１１を挟んで調整孔５と向かい合う位置に図示しない円弧状の調整孔が設けられており、当該調整孔には、第１調整部材６が挿通されている。
【００２０】
第１アーム部１２および放熱部３０の取付部３９ａは、調整孔に挿通された第１調整部材６と第１固定部材８を用いて固定されている。同様に、第２アーム部１３および放熱部３０の取付部３９ｂは、第２固定部材９と調整孔５に挿通された第２調整部材７とによって固定されている。これにより、放熱部３０は、第１アーム部１２および第２アーム部１３に対し、第１固定部材８および第２固定部材９の軸心を回転軸として揺動可能となり、後述するように実施形態１に係る照明装置１が照明する向きを調整することができる。
【００２１】
次に、放熱部３０について、図１、図２を用いて説明する。放熱部３０は、例えば鋼板製やアルミニウム製の高い放熱性を有する部材であり、後述する基板２１を介して伝わった熱を放熱させる。放熱部３０は、平面部３１と、放熱フィン３４と、第１補強部材３７と、第２補強部材３８と、取付部３９ａ、３９ｂとを有する。
【００２２】
平面部３１は、Ｘ軸負方向側に配置される第１平面部３２と、第１平面部３２のＸ軸正方向側に所定の間隔を隔てて並ぶように配置される第２平面部３３とを有する。第１平面部３２および第２平面部３３は、一方面である前面側に後述する基板２１が配置され、他方面である背面側には放熱フィン３４が配置される板状の部材である。なお、以下の説明において、基板２１が取り付けられる平面部３１の一方面側を「前面側」、複数の放熱フィン３４が設けられる平面部３１の他方面側を「背面側」と称する場合がある。同様に、平面部３１とは別の部材の説明においても、当該部材を基準にＺ軸負方向側を「前面側」、Ｚ軸正方向側を「背面側」と称する場合がある。
【００２３】
放熱フィン３４は、複数の第１放熱フィン３５と、複数の第２放熱フィン３６とを有する。第１放熱フィン３５は、Ｚ−Ｘ平面に沿って所定の間隔で立設するように第１アーム部１２寄りに配置されている。第２放熱フィン３６は、Ｚ−Ｘ平面に沿って所定の間隔で立設するように第１放熱フィン３５よりも第２アーム部１３寄りに配置されている。第１放熱フィン３５および第２放熱フィン３６は、第１アーム部１２および第２アーム部１３と平行となるように配置される。このため、第１アーム部１２および第２アーム部１３と垂直に配置された場合と比較して、第１放熱フィン３５および第２放熱フィン３６の面方向に対する外力を受けにくくなり、剛性を担保することで第１放熱フィン３５および第２放熱フィン３６の変形を抑制することができる。
【００２４】
第１放熱フィン３５および第２放熱フィン３６は、例えばかしめにより第１平面部３２および第２平面部３３と一体化されている。なお、第１放熱フィン３５および第２放熱フィン３６ならびに第１平面部３２および第２平面部３３の一体化の手法は、かしめに限らず、例えば溶接であってもよい。また、例えば押し出し成形により第１放熱フィン３５、第２放熱フィン３６、第１平面部３２および第２平面部３３が予め一体化されたものとして形成されてもよい。ただし、軽量化の観点からは、第１放熱フィン３５および第２放熱フィン３６を第１平面部３２および第２平面部３３とは別体の板状部材として加工することが好ましい。
【００２５】
第１補強部材３７は、第１放熱フィン３５の背面側の端部に設けられる。第１補強部材３７は、例えばかしめ等により隣り合う第１放熱フィン３５同士を連結するように配置され、第１放熱フィン３５を補強する。同様に、第２補強部材３８は、第２放熱フィン３６の背面側の端部に設けられ、隣り合う第２放熱フィン３６同士を連結して補強する。実施形態１に係る放熱部３０によれば、第１補強部材３７および第２補強部材３８を用いて第１放熱フィン３５および第２放熱フィン３６をそれぞれ補強しているので、放熱フィン３４を収容する筐体を用いた場合と比較して照明装置１を軽量化することができる。
【００２６】
なお、図２では、第２放熱フィン３６のＸ軸方向の両端に第２補強部材３８を配置した例について示したが、これに限らず、例えば３ヶ所以上に第１補強部材３７および第２補強部材３８をそれぞれ配置してもよい。また、放熱部３０は、第１補強部材３７および第２補強部材３８を有しなくてもよい。
【００２７】
取付部３９ａは、第１平面部３２および第２平面部３３のＹ軸負方向の端部から延びるように形成されている。同様に、取付部３９ｂは、Ｙ軸正方向の端部に第１平面部３２および第２平面部３３から延びるように形成されている。これにより、取付部３９ａ、３９ｂは、放熱部３０のＹ軸方向の両端部であって、Ｘ軸方向の中央に配置されることとなる。このように配置された取付部３９ａ、３９ｂは、支持部１０の第１アーム部１２および第２アーム部１３にそれぞれ取り付けられ、固定される。なお、取付部３９ａ、３９ｂは、第１平面部３２および第２平面部３３と一体に形成されてもよく、また例えば溶接あるいは図示しない締結部材を用いて一体化されてもよい。
【００２８】
次に、電源ボックス４０について、図１〜図３を用いて説明する。図３は、実施形態１に係る照明装置１を天井取付部１１側、すなわちＺ軸正方向から見た平面図である。電源ボックス４０は、第１締結部材１８および第２締結部材１９を用いて、第１アーム部１２および第２アーム部１３にそれぞれ取り付けられる。第１アーム部１２および第２アーム部１３に固定された電源ボックス４０では、第１アーム部１２および第２アーム部１３が電源ボックス４０を収容する筐体の代わりに電源ボックス４０の剛性を確保し、例えば電源ボックス４０のねじれなどの変形を防ぐことができる。
【００２９】
電源ボックス４０は、商用交流電源に接続されており、この商用交流電源を受けて直流出力を生成する。電源ボックス４０は、第１点灯装置４１および第２点灯装置４２を含む。第１点灯装置４１は後述する第１発光ユニット２５を、第２点灯装置４２は後述する第２発光ユニット２６を、それぞれ独立して点灯制御または調光調色制御するように構成される。
【００３０】
第１点灯装置４１は、複数の第１発光ユニット２５に接続されており、直流出力を第１発光ユニット２５に供給し、第１発光ユニット２５を点灯制御する。第２点灯装置４２は、複数の第２発光ユニット２６に接続されており、直流出力を第２発光ユニット２６に供給し、第２発光ユニット２６を点灯制御する。
【００３１】
次に、発光部２について、図４、図５を用いて説明する。図４は、実施形態１に係る照明装置１を照射面側、すなわちＺ軸負方向側から見た平面図である。図５は、図４のＡ−Ａ断面図である。
【００３２】
発光部２は、基板２１と、発光ユニット２４と、第１コネクタ２７と、第２コネクタ２８とを有する。基板２１は、第１平面部３２の前面側に配置される第１基板２２と、第２平面部３３の前面側に、第１基板２２とはＸ軸方向に所定の間隔を隔てて並ぶように配置される第２基板２３とを有する。
【００３３】
第１基板２２および第２基板２３は、例えばガラスエポキシ樹脂などの絶縁性を有する平面視で長手方向と短手方向とを有する矩形状の平板であり、前面側には銅箔などの導電性材料で形成された配線パターンが施されている。また、適宜レジスト層が施されるようになっている。なお、第１基板２２および第２基板２３の材料は、絶縁材とする場合には、セラミックス材料又は合成樹脂材料を適用してもよい。また、第１基板２２および第２基板２３の材料は、金属製としてもよく、かかる場合には、例えばアルミニウムなどの熱伝導性が良好で放熱性に優れた材料を適用するのが好ましい。第１基板２２および第２基板２３は、例えば、放熱シートまたはねじ止め等によって、第１平面部３２および第２平面部３３とそれぞれ密着するように取り付けられている。なお、第１基板２２および第２基板２３は、例えば平面視で略正方形の平板であってもよい。
【００３４】
発光ユニット２４は、第１基板２２の前面である第１照射面３側に実装される第１発光ユニット２５と、第２基板２３の前面である第２照射面４側に実装される第２発光ユニット２６を有する。第１発光ユニット２５および第２発光ユニット２６はそれぞれ、発光色の異なる複数の発光素子を含む。発光素子は、例えばセラミックスで形成された本体に配設されたＬＥＤ（Light  Emitting  Diode）チップと、このＬＥＤチップを封止するエポキシ系樹脂やシリコーン樹脂等のモールド用の透光性樹脂とを含む。
【００３５】
ＬＥＤチップは、例えば、青色光を発する青色のＬＥＤチップを含む。透光性樹脂には、蛍光体が混入されており、白色光を出射できるようにするために、青色の光とは補色の関係にある黄色系の光を放射する黄色蛍光体が使用されている。なお、ＬＥＤチップは、例えば赤色光を発する赤色のＬＥＤチップや緑色光を発する緑色のＬＥＤチップを含んでよい。さらに、ＬＥＤチップは、例えば電球色光を発するＬＥＤチップや昼光色光を発するＬＥＤチップを含んでよい。
【００３６】
また、第１発光ユニット２５、第２発光ユニット２６が有するＬＥＤは、ＬＥＤチップを直接第１基板２２、第２基板２３にそれぞれ実装するようにしてもよく、また、砲弾型のＬＥＤを実装するようにしてもよく、実装方式や形式は、特に限定されるものではない。本実施形態では、第１基板２２、第２基板２３上に複数の第１発光ユニット２５、第２発光ユニット２６が、Ｘ軸方向およびＹ軸方向に沿うようにそれぞれ所定の間隔で配置されている。
【００３７】
第１コネクタ２７は、第１基板２２上の第１発光ユニット２５と第１点灯装置４１とを電気的に接続する接続部材である。第１コネクタ２７は、第１配線２７ａ、２７ｂを介して第１点灯装置４１と電気的に接続されている。第１コネクタ２７は、第１基板２２上の配線パターン（図示せず）と電気的に接続された基板側コネクタ（図示せず）に取り付けられることにより、第１発光ユニット２５と第１点灯装置４１とが電気的に接続される。
【００３８】
また、第２コネクタ２８は、第２基板２３上の第２発光ユニット２６と第２点灯装置４２とを電気的に接続する接続部材である。第２コネクタ２８は、第２配線２８ａ、２８ｂを介して第２点灯装置４２と電気的に接続されている。第２コネクタ２８は、第２基板２３上の配線パターン（図示せず）と電気的に接続された基板側コネクタ（図示せず）に取り付けられることにより、第２発光ユニット２６と第２点灯装置４２とが電気的に接続される。
【００３９】
第１コネクタ２７および第２コネクタ２８は、第１基板２２と第２基板２３との間の中央部分に形成された開口５０に面して互いに対向する位置に取り付けられる。第１コネクタ２７および第２コネクタ２８をこのように配置することにより、第１基板２２と第２基板２３との間に形成された開口５０から第１配線２７ａ、２７ｂ、第２配線２８ａ、２８ｂを容易に引き出すことができる。このとき、第１基板２２および第２基板２３の前面には、第１基板２２と第２基板２３との間の中央部分を除き、第１配線２７ａ、２７ｂ、第２配線２８ａ、２８ｂに相当する部材は配置されていない。このため、第１発光ユニット２５および第２発光ユニット２６から照射された光が遮られることなく、照射光として適切に利用することができる。なお、開口５０については後述する。
【００４０】
次に、実施形態１に係る照明装置１についてさらに説明する。照明装置１は、第１カバー部材１４と、第２カバー部材１５と、第１カバー取付部材１６と、第２カバー取付部材１７と、開口５０とを有する。
【００４１】
第１カバー部材１４は、平面視で第１発光ユニット２５および第１基板２２を覆うように形成されており、第１カバー部材１４の端部は、第１平面部３２の前面に当接している。同様に、第２カバー部材１５は、平面視で第２発光ユニット２６および第２基板２３を覆うように形成されており、第２カバー部材１５の端部は、第２平面部３３の前面に当接している。
【００４２】
第１カバー部材１４および第２カバー部材１５は、例えば、アクリルやポリカーボネート等の透光性の材料から作られている。また、第１カバー部材１４および第２カバー部材１５は、フロスト処理が施されて第１発光ユニット２５および第２発光ユニット２６から出射される光を拡散する機能を有するようになっている。なお、第１カバー部材１４および第２カバー部材１５に適宜拡散材を混入させて光の拡散性をもたせるようにしてもよい。また、第１カバー部材１４および第２カバー部材１５は、第１発光ユニット２５および第２発光ユニット２６から出射される光を収束または発散させるレンズ機能を有してもよい。
【００４３】
第１カバー取付部材１６は、第１カバー部材１４の前面から第１カバー部材１４および第１基板２２を貫通するように挿通され、第１カバー部材１４、第１基板２２および第１平面部３２を固定する。第２カバー取付部材１７は、第２カバー部材１５の前面から第２カバー部材１５および第２基板２３を貫通するように挿通され、第２カバー部材１５、第２基板２３および第２平面部３３を固定する。なお、第１カバー取付部材１６および第２カバー取付部材１７の数および配置は、図４に示したものに限らず、第１カバー部材１４および第２カバー部材１５を適切に固定できればよい。また、第１カバー部材１４および第２カバー部材１５が、例えば嵌着等により適切に固定される形状を有していれば第１カバー取付部材１６および第２カバー取付部材１７は不要である。
【００４４】
開口５０は、複数の放熱フィン３４と重なるように基板２１の前面側から放熱部３０の放熱フィン３４側まで設けられる。具体的には、開口５０は、第１カバー部材１４のＸ軸正方向側の端面１４ａ、第１平面部３２のＸ軸正方向側の端面３２ａ、第２カバー部材１５のＸ軸負方向側の端面１５ａ、および第２平面部３３のＸ軸負方向側の端面３３ａで囲まれた空間である。また、開口５０は、平面視で複数の第１放熱フィン３５および複数の第２放熱フィン３６と重なるように設けられているため、第１放熱フィン３５および第２放熱フィン３６を介して放熱された空気と外気との循環が円滑に行われる。また、上記したように、開口５０は、基板２１と平面部３１とを同じ位置で貫通するように基板２１および平面部３１を分割し、所定の間隔を設けて並べることで形成されたものに過ぎない。このため、実施形態１に係る照明装置１によれば、優れた放熱性および汎用性を有する照明装置を提供することができる。
【００４５】
（実施形態１の変形例１）
図６は、実施形態１に係る照明装置の変形例１を照射面側から見た平面図である。図７は、図６のＢ−Ｂ断面図である。図６、図７に示す照明装置１は、所定の間隔を有するように並べられた第１平面部３２および第２平面部３３に代えて、中央部分に貫通孔３１ａが設けられた１つの平面部３１のみを有する点が異なる。このような構成を有する照明装置１においても、開口５０は、平面視で複数の第１放熱フィン３５および複数の第２放熱フィン３６と重なるように設けられているため、第１放熱フィン３５および第２放熱フィン３６を介して放熱された空気と外気との循環が円滑に行われる。また、開口５０は、基板２１と平面部３１とを同じ位置で貫通するように平面部３１の中央部分に貫通孔３１ａを形成するとともに、貫通孔３１ａを挟むように第１基板２２および第２基板２３を並設したものに過ぎない。このため、実施形態１の変形例１に係る照明装置１によれば、優れた放熱性および汎用性を有する照明装置を提供することができる。
【００４６】
（実施形態１の変形例２）
図８は、実施形態１に係る照明装置の変形例２を照射面側から見た平面図である。図８に示す照明装置１は、矩形状の開口５０に代えてメッシュ状の開口５１が形成された平面部３１を有する点が実施形態１の変形例１とは異なる。このようにメッシュ状の開口５１が形成された平面部３１を有することにより、平面部３１および放熱部３０の強度が向上する。なお、複数の開口５１を区画する梁５１ａの幅は、例えば要求される平面部３１の強度に応じて設定される。また、開口５１の形状は、図示したものに限らず、例えば正方形や円形であってもよい。
【００４７】
［実施形態２］
図９は、実施形態２に係る照明装置を照射面側から見た平面図である。図１０は、図９のＣ−Ｃ断面図である。図９、図１０に示す照明装置１Ａは、中央部分に複数の貫通孔が設けられた１つの平面部３１のみを有するとともに、第１基板２２および第２基板２３に代えて、平面部３１に取り付けられた１つの基板２１のみを有する点が照明装置１とは異なる。
【００４８】
また、照明装置１Ａは、第１カバー部材１４および第２カバー部材１５に代えて、基板２１を覆うように一体化したカバー部材５４を有する。また、照明装置１Ａは、１つの開口５０に代えて、複数の開口５１を有する。開口５１は、第１開口５２と、第２開口５３と、引出口６０とを有する。引出口６０は、平面視で第１コネクタ２７と第２コネクタとの間に配置される。引出口６０は、平面視で第１放熱フィン３５と第２放熱フィン３６との間の空間と重なるように配置され、第１配線２７ａ，２７ｂ、第２配線２８ａ、２８ｂが引き出される。
【００４９】
第１開口５２は、引出口６０のＹ軸正方向側に、平面視で第１放熱フィン３５と重なるように配置される。第２開口５３は、引出口６０のＹ軸負方向側に、平面視で第２放熱フィン３６と重なるように配置される。
【００５０】
このような構成を有する照明装置１Ａにおいても、第１開口５２および第２開口５３は、平面視で複数の第１放熱フィン３５および複数の第２放熱フィン３６と重なるように設けられているため、第１放熱フィン３５および第２放熱フィン３６を介して放熱された空気と外気との循環が円滑に行われる。また、図１０に示すように、第２開口５３は、平面部３１の中央部分に貫通孔３１ａを形成するとともに、基板２１の中央部分に貫通孔３１ａと連通する貫通孔を設け、さらに第２開口５３に対応する貫通孔５４ａをカバー部材５４に設けることで形成される。また、第１開口５２についても第２開口５３と同様に形成される。このため、実施形態２に係る照明装置１Ａによれば、優れた放熱性および汎用性を有する照明装置を提供することができる。
【００５１】
なお、図９に示す照明装置１Ａは、引出口６０を含む３つの開口５１を有するように構成されたが、これに限らず、２または４以上の開口５１を有するように形成されてもよい。また、開口５１はＹ軸に沿って一列に並ぶように配置されたが、これに限らず、例えばＹ軸に沿って二列に並んで配置されてもよく、また、Ｙ軸に対して平面視で交差するように形成された開口５１を有してもよい。
【００５２】
なお、上述した説明では、照明装置１、１Ａは高天井用照明装置であるとしたが、例えば天井吊り下げタイプであってもよい。かかる場合、照明装置１、１Ａは、図示した支持部１０に代えて、用途に応じた天井取付部１１が用いられる。また、照明装置１、１Ａは天井以外の場所、例えば壁面に取り付けてもよい。
【００５３】
また、上述した照明装置１、１Ａは、開口５０、５１を有することにより均斉度の低下が生じる場合がある。かかる場合、例えばカバー部材（第１カバー部材１４、第２カバー部材１５、カバー部材５４）による配光性や、発光ユニット２４や第１カバー取付部材１６、第２カバー取付部材１７の配置を変更することで均斉度の低下を防止するようにしてもよい。
【００５４】
このように、実施形態１、２に係る照明装置１、１Ａは、基板２１（２２、２３）、放熱部３０（３１、３４）、開口５０、５１（５２、５３）を具備する。基板２１（２２、２３）は、照射面３、４側に複数の発光素子２４（２５、２６）が配置される。放熱部３０は、基板２１（２２、２３）が取り付けられる平面部３１（３２、３３）を有し、平面部３１（３２、３３）の背面側に立設する複数の放熱フィン３４（３５、３６）を有する。開口５０、５１（５２、５３）は、複数の放熱フィン３４（３５、３６）と重なるように基板２１（２２、２３）の照射面３、４側から放熱部３０の放熱フィン３４（３５、３６）側まで設けられる。基板２１（２２、２３）は、開口５０、５１（５２、５３）を挟んで並設された第１基板２２および第２基板２３を有する。これにより、基板２１（２２、２３）で発生した熱の複数の放熱フィン３４（３５、３６）を介した放熱が円滑に行われるため、優れた放熱性を有する照明装置１、１Ａを提供することができる。
【００５５】
また、実施形態１、２に係る開口５０、５１（５２、５３）は、基板２１（２２、２３）と平面部３１（３２、３３）とを同じ位置で貫通している。これにより、開口５０、５１（５２、５３）は、優れた放熱性を有する照明装置１、１Ａを提供することができる。
【００５６】
また、実施形態１、２に係る照明装置１、１Ａは、基板２１（２２、２３）を覆うカバー部材１４、１５、５４をさらに具備する。開口５０、５１（５２、５３）は、カバー部材１４、１５、５４の照射面３、４側から、基板２１（２２、２３）および放熱部３０の放熱フィン３４（３５、３６）側まで設けられる。これにより、開口５０、５１（５２、５３）は、照明装置１、１Ａの前面側と背面側とを連通させることができ、優れた放熱性を有する照明装置１、１Ａを提供することができる。
【００５７】
また、実施形態１、２に係る高天井用照明装置は、照明装置１、１Ａと、照明装置１、１Ａの対向する側面を支持する第１アーム部１２および第２アーム部１３と、第１アーム部１２と第２アーム部１３とを接続するように配置され、放熱フィン３４（３５、３６）と向かい合う天井取付部１１とを有する支持部１０とを具備する。これにより、優れた放熱性を有する高天井用照明装置を提供することができる。
【００５８】
また、実施形態１、２に係る高天井用照明装置は、放熱フィン３４（３５、３６）と天井取付部１１との間に配置され、第１アーム部１２および第２アーム部１３に固定される電源ボックス４０をさらに具備する。これにより、電源ボックス４０の強度が確保された高天井用照明装置を提供することができる。
【００５９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００６０】
１、１Ａ  照明装置
２  発光部
３  第１照射面
４  第２照射面
５  調整孔
６  第１調整部材
７  第２調整部材
８  第１固定部材
９  第２固定部材
１０  支持部
１１  天井取付部
１２  第１アーム部
１３  第２アーム部
１４  第１カバー部材
１５  第２カバー部材
１６  第１カバー取付部材
１７  第２カバー取付部材
１８  第１締結部材
１９  第２締結部材
２１  基板
２２  第１基板
２３  第２基板
２４  発光ユニット
２５  第１発光ユニット
２６  第２発光ユニット
２７  第１コネクタ
２７ａ、２７ｂ  第１配線
２８  第２コネクタ
２８ａ、２８ｂ  第２配線
３０  放熱部
３１  平面部
３２  第１平面部
３３  第２平面部
３４  放熱フィン
３５  第１放熱フィン
３６  第２放熱フィン
３７  第１補強部材
３８  第２補強部材
３９ａ、３９ｂ  取付部
４０  電源ボックス
４１  第１点灯装置
４２  第２点灯装置
５０、５１  開口
５２  第１開口
５３  第２開口
５４  カバー部材
６０  引出口
【図１】
2019050148.tif 000003
【図２】
2019050148.tif 000004
【図３】
2019050148.tif 000005
【図４】
2019050148.tif 000006
【図５】
2019050148.tif 000007
【図６】
2019050148.tif 000008
【図７】
2019050148.tif 000009
【図８】
2019050148.tif 000010
【図９】
2019050148.tif 000011
【図１０】
2019050148.tif 000012